(57)【要約】      （修正有）【課題】マルチパス状態により生じる副搬送波減衰の状態下で、ＯＦＤＭシステムの性能を向上させることができる装置を提供する。【解決手段】外部リードソロモンエンコーダとインターリーバ２４と内部畳込みエンコーダ２６を使用する直交周波数分割多重通信（ＯＦＤＭ）システムにおいて、内部畳込みエンコード後にデータビットは内部インターリーバ２８によりインターリーブされ、シンボルにグループ化され、各シンボルが“ｍ”個のビットを持つ。グループ化後、直交振幅変調（ＱＡＭ）を使用してシンボルが複素平面にマッピングされる。したがって、シンボルでなくビットが内部インターリーバ２８によりインターリーブされる。受信機は、受信された各複素ＱＡＭシンボル中の各ビットの値に関して軟判定を実行する。【選択図】図２
2008295057.tif 000002
【特許請求の範囲】
【請求項１】
受信機に向けてのその送信用デジタルデータビットを処理する、直交周波数分割多重通信方式（ＯＦＤＭ）の送信機用装置において、
前記データビットを処理する外部インターリーバと、
前記処理されたビットをエンコードするエンコーダと、
前記エンコーダからデータビットを受け取り、このデータビットをインターリーブする内部インターリーバと、
前記内部インターリーバからのインターリーブされたデータビットを受け取り、前記内部インターリーバからの“ｍ”個の連続ビットを表すシンボルを発生する手段とを具備し、
“ｍ”が１よりも大きい整数である装置。
【請求項２】
前記外部インターリーバがリードソロモンインターリーバである請求項１記載の装置。
【請求項３】
送信機をさらに具備する請求項１または２記載の装置。
【請求項４】
各シンボルをｍ−ａｒｙ信号スペースにマッピングする手段をさらに具備する請求項１ないし３のいずれか１項記載の装置。
【請求項５】
前記マッピング手段が直交振幅変調（ＱＡＭ）を使用して複素シンボルを発生する請求項４記載の装置。
【請求項６】
前記複素シンボルを処理して“ｎ”個のサブストリームにするシリアルパラレルコンバータをさらに具備し、“ｎ”が１よりも大きい整数である請求項５記載の装置。
【請求項７】
“ｍ”が少なくとも５以上の奇数であり、前記マッピング手段が信号スペースの象限中の隣接シンボル間のハミング距離の合計を最小にする請求項４ないし６のいずれか１項記載の装置。
【請求項８】
前記信号ストリーム中にガード期間を確立するガード期間発生器をさらに具備する請求項６または７記載の装置。
【請求項９】
ＯＦＤＭ送信機と組み合わされた請求項８記載の装置。
【請求項１０】
ＯＦＤＭシステムとさらに組み合わされた請求項９記載の装置。
【請求項１１】
直交周波数分割多重通信方式（ＯＦＤＭ）を使用してデジタルデータビットを送信する方法において、
前記ビットを畳込みエンコードし、
その後前記ビットをインターリーブし、
その後“ｍ”ビットをパラレルにグループ化して各シンボルを確立するステップを含む方法。
【請求項１２】
直交振幅変調を使用して前記シンボルをｍ−ａｒｙスペースにマッピングして、複素シンボルを発生するステップをさらに含む請求項１１記載の方法。
【請求項１３】
“ｍ”が７に等しい請求項１２記載の方法。
【請求項１４】
畳込みエンコードするステップの前に、前記データビットをエンコードし、外部エンコーダを使用してこのデータビットをインターリーブするステップをさらに含む請求項１２または１３記載の方法。
【請求項１５】
前記複素シンボルを“ｎ”個のサブストリームに分離し、
前記サブストリームに高速フーリエ変換を実行して変換された出力を発生し、
前記変換された出力中に複数のガード期間を生成するステップをさらに含む請求項１４記載の方法。
【請求項１６】
各シンボルが“ｍ”個のデータビットを表す複素位相調整シンボルを含む直交周波数分割多重化（ＯＦＤＭ）された信号の“ｎ”個のサブストリームを受信する受信機用の装置において、
各サブストリームに対して、前記サブストリーム中の各シンボルにより表される各ビットのバイナリ値を決定する軟判定量子化器を具備する装置。
【請求項１７】
前記軟判定量子化器が、
第１組中の各値が予め定められたビット中に“０”のバイナリ値を持つ、各シンボルに対する第１組の可能性ある値を決定する手段と、
前記シンボルと前記第１組の可能性ある値中の各可能性ある値との間の振幅差を各シンボルに対して決定する手段と、
最小振幅差を決定し、それを表す第１の信号を発生する手段とを備えている請求項１６記載の装置。
【請求項１８】
前記軟判定量子化器が、
第２組中の各値が予め定められたビット中に“１”のバイナリ値を持つ、各シンボルに対する第２組の可能性ある値を決定する手段と、
前記シンボルと前記第２組の可能性ある値中の各可能性ある値との間の振幅差を各シンボルに対して決定する手段と、
最小振幅差を決定し、それを表す第２の信号を発生する手段とをさらに備えている請求項１７記載の装置。
【請求項１９】
前記軟判定量子化器が、前記第１の信号が前記第２の信号よりも大きい時にはバイナリ“１”を返し、そうでなければバイナリ“０”を返す手段をさらに備えている請求項１８記載の装置。
【請求項２０】
前記軟判定量子化器が、前記第１の信号と前記第２の信号との間の差の振幅に比例する信頼値を返す手段をさらに備えている請求項１９記載の装置。
【請求項２１】
前記ＯＦＤＭ信号を前記軟判定量子化器に入力する前に前記ＯＦＤＭ信号中のガード期間を除去するガード期間除去器を含む受信機と組み合わせた請求項１９または２０記載の装置。
【請求項２２】
各シンボルが“ｍ”個のデータビットを表している、直交周波数分割多重化（ＯＦＤＭ）信号中の複素シンボルを受信するＯＦＤＭ信号受信機用のコンピュータ論理装置において、
デジタル処理システムにより読取可能なコンピュータ論理記憶装置と、
前記論理記憶装置中に組込まれ、各シンボルの値に関する軟判定を行う方法ステップを実行するために前記デジタル処理システムにより実行可能な命令とを具備し、
前記方法ステップは、
第１組中の各値が予め定められたビット中に“０”のバイナリ値を持つ、各シンボルに対する第１組の可能性ある値を決定し、
前記シンボルと前記第１組の可能性ある値中の各可能性ある値との間の振幅差を各シンボルに対して決定し、
最小振幅差を決定し、それを表す第１の信号を発生するステップを含むコンピュータ論理装置。
【請求項２３】
ビットをマルチビットシンボルにグループ化する前に内部インターリーバによりデータビットを処理する直交周波数分割多重化（ＯＦＤＭ）信号送信機。
【発明の詳細な説明】
【発明の背景】
【０００１】
Ｉ．発明の分野
この発明は一般的に直交周波数分割多重通信方式（ＯＦＤＭ）によるデジタル信号の送信に関する。特にこの発明はデジタル信号の送信において使用されるＯＦＤＭ装置およびシステムに関する。
【０００２】
ＩＩ．関連技術の説明
直交周波数分割多重通信方式（ＯＦＤＭ）は、例えば高精細度テレビ（ＨＤＴＶ）信号のような高レートデジタル信号を同報通信するための技術である。ＯＦＤＭシステムでは、単一の高レートデータストリームが数個のパラレル低レートサブストリームに分割され、各サブストリームはそれぞれの副搬送周波数を変調するのに使用される。
【０００３】
ＯＦＤＭシステムにおいて使用される変調技術は直交振幅変調（ＱＡＭ）と呼ばれ、搬送周波数の位相と振幅の両方が変調される。ＱＡＭ変調では、複素ＱＡＭシンボルが複数のデータビットから生成され、各シンボルには実数項と虚数項が含まれ、各シンボルはそのシンボルが生成される複数のデータビットを表している。複数のＱＡＭビットは、複素平面によりグラフ的に表すことができるパターンで共に送られる。一般的にこのパターンは“データ点配置”として呼ばれる。ＱＡＭ変調を使用することにより、ＯＦＤＭシステムはその効率を向上させることができる。
【０００４】
信号が同報通信される時に、信号が１つより多いパスにより受信機に伝播できる場合がある。例えば、単一の送信機からの信号は直線に沿って受信機に向けて伝播することができ、そして信号はまた物理的な物体に反射し、異なるパスに沿って受信機に向かって伝播することもできる。さらに、システムがいわゆる“セルラ”同報通信技術を使用してスペクトル効率を増加させる時、受信機に向けられた信号は１つより多い送信機により同報通信される場合がある。したがって、同じ信号が１つより多いパスに沿って受信機に向けて送信される。このような信号のパラレル伝播は、人工（すなわち、１つより多い送信機から同じ信号を同報通信することにより生じる）または自然（すなわち、エコーにより生じる）に係わらず、“マルチパス”と呼ばれる。セルラデジタル同報通信はスペクトル的に効率がよいが、マルチパスの問題点を効果的に処理する準備をする必要があることが容易に理解できる。
【０００５】
幸いにも、ＱＡＭ変調を使用するＯＦＤＭシステムは、単一搬送周波数のみが使用されるＱＡＭ変調技術よりも（先に説明したように、セルラ同報通信技術が使用された時に必ず生じる）マルチパス状態の存在下でさらに効率がよい。特に、単一搬送波ＱＡＭシステムでは、複素イコライザを使用して主パスと同じ位強いエコーを持つチャネルを等化しなければならず、このような等化は実行することが困難である。これに対してＯＦＤＭシステムでは、単に各シンボルの始まりに適当な長さのガードインターバルを挿入することにより、複素イコライザに対する必要性をまったくなくすことができる。したがって、マルチパス状態が予測される時に、ＱＡＭ変調を使用するＯＦＤＭシステムが好ましい。
【０００６】
特に現在のＯＦＤＭシステムに関してなぜ本発明が有用で必要であるかを理解するために、現在のシステムでは同報通信されるべきデータストリームは、最初にリードソロモンエンコーダで次にトレリスコーディング方式で２度エンコードされる。１回のコーディングのみがなされるシステムにも本発明が等しく適用可能であることを理解すべきである。典型的なトレリスコーディング方式では、データストリームは畳み込みエンコーダによりエンコードされ、連続するビットがビットグループに結合されて、これがＱＡＭシンボルとなる。数ビットがグループになり、グループ毎のビット数は整数“ｍ”により規定される（したがって、各グループは“ｍ−ａｒｙ”ディメンションを持つものとして呼ばれる）。一般的に、“ｍ”の値は４，５，６または７であるが、これよりも多くあるいは少なくすることができる。
【０００７】
ビットをマルチビットシンボルにグループ化した後に、シンボルはインターリーブされる。“インターリーブ”は、シンボルストリームを次々と再配置して、チャネルの品質低下により生じる潜在的なエラーをランダムにすることを意味する。例示のために５つのワードが送信されることを考える。非インターリーブ信号の送信中、一時的なチャネル妨害が生じたとする。これらの環境下では、チャネル妨害が和らぐ前に全ワードが喪失することがあり、不可能でないとしても、喪失したワードにより伝えられた情報が何であったかを知ることは困難である。
【０００８】
これに対して、５つのワードの文字が送信前に順次再配置され（すなわち、インターリーブされ）、チャネル妨害が生じた場合には、数個の文字は喪失するかもしれないが、おそらくワード毎に１文字である。しかしながら、再配置された文字をデコードする時には、いくつかのワードが文字を落としているかもしれないが５つすべてのワードが現れる。これらの状況下において、デジタルデコーダがほぼ完全にデータを再生することは比較的容易であることが簡単に理解できる。ｍ−ａｒｙシンボルをインターリーブした後に、シンボルは先に説明したＱＡＭ原理を使用して複素シンボルにマッピングされ、各副搬送波チャネルに多重化され、送信される。
【０００９】
しかしながらここで理解されるように、インターリーブ前にデータビットがシンボルにグループ化される、先に言及したトレリスコーディング方式を使用する現在のＯＦＤＭシステムは、いくつかのＯＦＤＭ副搬送波が激しく減衰されるマルチパス状態の存在下で性能の欠点を示す。ここでさらに理解されるように、マルチパス状態により生じる副搬送波減衰の状態下では、ＯＦＤＭシステムの性能を向上させることができる。またさらにここで理解されるように、このようなＯＦＤＭシステムの性能は、受信データ値を決定する際に受信機において軟判定を行うことによりさらに向上させることができる。
【発明の概要】
【００１０】
したがって、本発明はマルチパス状態の存在下において高レートデジタルデータを送信するシステムを提供することを目的とする。本発明はまた、ＯＦＤＭ原理を使用して高レートデジタルデータを送信し、マルチパス状態において副搬送波の減衰がある場合に比較的効率よく動作するシステムを提供することも目的とする。本発明はさらに、サブチャネルベースによりサブチャネル上で軟判定を使用してデータ値を決定することを可能にする、高レートデジタルデータを受信するシステムを提供することも目的とする。本発明はまた、使用するのが容易であって製造および実施するのにコスト効率がよい、高レートデジタルデータを送信するシステムを提供することも目的とする。
【００１１】
１つの観点において、本発明は直交周波数分割多重（ＯＦＤＭ）信号送信機を提供し、この送信機では、ビットをマルチビットシンボルにグループ化する前に内部インターリーバによりデータビットが処理される。
【００１２】
他の観点において、本発明は、受信機にデジタルデータビットを送信するためにデジタルデータビットを処理する、直交周波数分割多重通信方式（ＯＦＤＭ）の送信機用装置を提供し、この装置は、データビットを処理する外部インターリーバと、この処理されたビットをエンコードするエンコーダと、エンコーダからデータビットを受け取り、このデータビットをインターリーブする内部インターリーバと、内部インターリーバからのインターリーブされたデータビットを受け取り、内部インターリーバからの“ｍ”個の連続ビットを表すシンボルを発生する手段とを具備し、“ｍ”は１よりも大きい整数である。
【００１３】
直交周波数分割多重通信方式（ＯＦＤＭ）の送信機において、受信機にデジタルデータビットを送信するためにデジタルデータビットを処理するための、本発明を実現する装置が提供される。実施形態では、この装置には、データビットを処理するリードソロモンコードシンボルインターリーバであることが好ましい外部インターリーバと、外部インターリーバから処理された出力データビットを受け取り、このデータビットをインターリーブする内部インターリーバが含まれている。またこの装置には、内部インターリーバからインターリーブされたデータビットを受け取り、内部インターリーバからの“ｍ”個の連続ビットを表すシンボルを発生する手段が含まれ、“ｍ”は１よりも大きい整数である。
【００１４】
畳み込みエンコーダは、内部インターリーバと外部インターリーバ間でビットを処理することが好ましい。さらに、各シンボルをｍ−ａｒｙ信号スペースにマッピングする手段が提供されてもよい。好ましい実施形態により意図されているように、マッピング手段は直交振幅変調（ＱＡＭ）を使用して複素シンボルを発生する。“ｍ”が少なくとも５以上の奇数であるケースでは、マッピング手段が、信号スペースの象限中の隣接シンボル間のハミング距離の合計を最小にする。
【００１５】
以下でさらに詳細に開示されているように、シリアルパラレルコンバータが複素シンボルを処理して“ｎ”個のサブストリームにし、ｎ”は１よりも大きい整数である。ガード期間発生器が信号ストリーム中にガード期間を確立する。この装置は、ＯＦＤＭ送信機と組み合わせて、ＯＦＤＭシステムとさらに組み合わせて開示されている。
【００１６】
他の観点において、本発明は直交周波数分割多重通信方式（ＯＦＤＭ）を使用してデジタルデータビットを送信する方法を提供し、この方法は、ビットを畳み込みエンコードし、その後このビットをインターリーブし、その後“ｍ”ビットをパラレルにグループ化して各シンボルを確立するステップを含む。
【００１７】
直交周波数分割多重通信方式（ＯＦＤＭ）を使用してデジタルデータビットを送信する方法には、ビットを畳み込みエンコードし、その後このビットをインターリーブすることが含まれている。次にこの方法には、“ｍ”ビットをパラレルにグループ化して各シンボルを確立することが含まれる。
【００１８】
本発明はまた、複素位相調整シンボルを含む直交周波数分割多重化（ＯＦＤＭ）された信号の“ｎ”個のサブストリームを受信する受信機用の装置を提供し、各シンボルが“ｍ”個のデータビットを表し、この装置は、各サブストリームに対して、サブストリーム中の各シンボルにより表される各ビットのバイナリ値を決定する軟判定量子化器を具備する。コンピュータ論理装置が受信機機能のこの部分を行ってもよい。
【００１９】
したがって本発明はまた、直交周波数分割多重（ＯＦＤＭ）信号中の複素シンボルを受信するＯＦＤＭ信号受信機用のコンピュータ論理装置を提供し、各シンボルが“ｍ”個のデータビットを表し、このコンピュータ論理装置は、デジタル処理システムにより読取可能なコンピュータ論理記憶装置と、論理記憶装置中に組込まれ、各シンボルの値に関する軟判定を行う方法ステップを実行するためにデジタル処理システムにより実行可能な命令とを具備し、この方法ステップは、第１組中の各値が予め定められたビット中に“０”のバイナリ値を持つ、各シンボルに対する第１組の可能性ある値を決定し、シンボルと第１組の可能性ある値中の各可能性ある値との間の振幅差を各シンボルに対して決定し、最小振幅差を決定し、それを表す第１の信号を発生するステップを含む。
【００２０】
直交周波数分割多重（ＯＦＤＭ）信号を送信する装置には、複数のＱＡＭシンボルを発生する直交振幅変調（ＱＡＭ）手段が含まれている。また、この装置には、信号スペース中の隣接シンボル間のハミング距離の合計が最小となるようにシンボルをｍ−ａｒｙ信号スペースにマッピングするマッピング手段が含まれ、ここで、“ｍ”が少なくとも５以上の奇数である。
【００２１】
本発明の特徴、目的、効果は、同じ参照文字が全体を通して対応するものを識別している図面とともに以下に述べられている詳細な説明からさらに明白になるであろう。
【好ましい実施形態の詳細な説明】
【００２２】
図１を参照すると、１つ以上の本質的に同一な送信機１４，１６から複数のエアーインターフェースパス１８，２０を通して受信機１２に向けて高レートデジタルデータを同報通信するシステムが一般的に１０で表されて図示されている。高レートデジタル信号は例えば高精細度テレビ（ＨＤＴＶ）信号であってもよい。システム１０は直交周波数分割多重通信方式（ＯＦＤＭ）のシステムである。したがって、送信機１４，１６は同一の信号を受信機１２に向けて送信し、各信号は複数の“ｎ”個のサブチャネルに多重化されている。ここで“ｎ”は１よりも大きな整数である。ＯＦＤＭ原理にしたがうと、各サブチャネルは、一連の複素直交振幅変調（ＱＡＭ）シンボルの各サブストリームを表している。次に、各ＱＡＭシンボルは“ｍ”個のデータビットを表しており、ここで“ｍ”は１よりも大きい整数である。１つの現在の好ましい実施形態では、“ｍ”の値は６である。他の好ましい実施形態では、“ｍ”の値は７である。この実施形態は直交振幅変調に関して説明されているが、位相偏移変調システムにも等しく適用することができることに留意すべきである。
【００２３】
図２はこの実施形態の送信機１４の関連する詳細部を示している。リードソロモンエンコーダ２２のような外部シンボルエラー訂正エンコーダが、送信されるべきデジタルデータビットのストリームを受け取り、技術的に知られている原理にしたがってビットをエンコードする。同様に、リードソロモンシンボルインターリーバであることが好ましい外部インターリーバ２４が、技術的に知られている原理にしたがって外部エンコーダ２２からのデータをインターリーブする。リードソロモンコーディングシステムは、１９８１年ニューヨーク州プレナム・プレスのＧ．Ｃ．クラーク・ジュニア氏とＪ．Ｂ．カイン氏による“デジタル通信用のエラー訂正コーディング”；１９８３年ニュージャージー州プレンティス−ホール、エングレウッドのＳ．リン氏およびＤ．Ｊ．カステロ・ジュニア氏による“エラー制御コーディング：基礎と応用”において論じられている。
【００２４】
外部インターリーバ２４から信号が畳み込みエンコーダ２６に送られ、畳み込みエンコーダ２６はよく知られた原理によりデータビットを畳み込みエンコードする。その後データビットは内部インターリーバ２８に送られ、この内部インターリーバ２８がビットをインターリーブする。その後、インターリーブされたビットは信号スペースグループ化器３０に送られる。
【００２５】
本発明に対して、信号スペースグループ化器３０は内部インターリーバ２８からの一連の“ｍ”個のビットをパラレルにグループ化する。したがって、信号スペースグループ化器は、内部インターリーバ２８から受け取った“ｍ”個の一連ビットのそれぞれを表している各シンボルを確立する。
【００２６】
したがって、トレリスコーディングＯＦＤＭ送信機とは異なり、送信機１４がビットをマルチビットシンボルにグループ化する前に内部インターリーバを通してデータビットを処理することが理解できる。この構造および以下に論じる受信機１２の構造により、最初にデータビットをシンボルにグループ化して、次に内部インターリーバを通してシンボルを処理する従来のトレリスコーディング送信機と比較して、マルチパス状態においてシステム１０のダイバーシティおよび性能が向上することを発見した。
【００２７】
図２に示すように、信号スペースグループ化器３０からのシンボルは信号スペースマッピング素子３２に送られる。本発明にしたがうと、信号スペースマッピング素子３２は各シンボルをｍ−ａｒｙ信号スペースにマッピングする。マッピング素子は直交振幅変調（ＱＡＭ）を使用して、各シンボルに基づいて振幅と位相の両方において変調を行って複素シンボルを生成する。
【００２８】
これらの複素シンボルは複素平面にマッピングされ、この複素平面は時としてＱＡＭデータ点配置として呼ばれる。したがって、各複素シンボルは複素平面中のそのｘ−ｙ位置に関して“ｘ＋ｊｙ”として表すことができ、ここでｊは負の１の平方根である（ｊ＝√（−１））。
【００２９】
“ｍ”の偶数値に対して、複素平面に対するマッピングは、ｘ座標に対するｍ／２グレーコード化バイナリデジットを使用し、そしてｙ座標を表すために残りのｍ／２バイナリデジット（グレーコード化）を使用して行われる。このようなマッピングでは、複素平面の象限における隣接ビットは、単一のバイナリ値だけ値が相互に異なっていると都合がよい。いいかえると、象限中の隣接ビット間のいわゆるハミング距離は正確に１である。
【００３０】
これに対し“ｍ”の奇数値に対して、ＱＡＭデータ点配置がもはや矩形ではないので、２次元においてＱＡＭシンボルをもはや独立してグレーコード化することはできない。したがって“ｍ”の奇数値に対して、以下の表１に示すような疑似グレーコードとして考えることができるものを使用してＱＡＭシンボルをマッピングして、象限中のすべての異なる隣接要素対（すなわち、要素間に介在するものがなく、相互にすぐ隣接するように表中で物理的に表されている同じ象限の要素）（に割当てられたｍ個のビット）間のハミング距離の合計を有効に最小にする。
【表１】
2008295057.tif 000003
【００３１】
当業者が容易に理解するように、表１に示されているデータ点配置は４つの象限を含むように考えることができ、データ点配置の原点は第３行と第４行と第３列と第４列との間にある。本発明に対して各ＱＡＭシンボルにより表される“ｍ”ビットの内の２つがシンボルの象限をコード化する。したがって、第１象限中のＱＡＭシンボルのビットの内の２つは００であり、第２象限中の各シンボルの内の２ビットは０１であり、第３象限中の各シンボルの２ビットは１１であり、第４象限中の各シンボルの２ビットは１０である。
【００３２】
したがって、表１では、各シンボルの残りの３ビットは８文字ａ−ｈの内の１つにより示される。第１象限のシンボル割当は以下に論じられているが、表１に示されているように、同じビット割当が他の３つの象限において反映されていることを理解すべきである。任意の文字を任意に値“０００”に割当ててもよい。例えば文字“ａ”はバイナリ値“０００”を表すことができる。その象限中のその隣接するものに対するハミング距離を単位元に等しいように保つために、本発明はｂ＝００１およびｃ＝０１０に割当てる。これは次にｄ＝０１１，ｅ＝１１０，およびｆ＝１１１を導く。
【００３３】
象限中のシンボル間のハミング距離の合計を最小にするに際して、残りの割当に対して２つの可能性がある。第１のものはｇ＝１００およびｈ＝１０１に割当て、この場合には象限中のすべての隣接間のハミング距離は１であるが、ｄとｇとの間のハミング距離は例外で３である。また、ｇ＝１０１およびｈ＝１００に割当て、この場合には象限中の隣接間のハミング距離は１であるが、ｄとｇとの間のハミング距離は例外で２であり、ｂとｈとの間のハミング距離も例外で２である。しかしながら両ケースとも象限中の隣接間のハミング距離の合計を最小にする。
【００３４】
表１はｍ＝５のケースに対するマッピングである。しかしながら、ここに述べられている原理は“ｍ”のより大きな奇数に適用することができることを理解すべきである。例えば“ｍ”＞５かつ奇数の場合、先の表１中の各点は２（m-5）点の正方配列に置き換えられ、各シンボルのビットの内の５つを使用して特定の正方配列を識別し、残りのｍ−５ビットを２次元グレーコードとして使用して正方配列中の点を列挙する。
【００３５】
マッピング後、複素シンボルのストリームはシリアルパラレルコンバータ３４によりサブストリームに多重化される。コンバータ３４がシンボルを多重化する時、コンバータ３４はパイロットシンボルを（示されているような受信機１４中のパイロットシンボル挿入器３３により表されているように）“ｎ”個のサブストリームｄ0………ｄn-1に挿入する。当業者が認識するように、パイロット信号は受信機１２のような受信機に対する振幅と位相の基準を確立して、受信された複素シンボルのスケールと位相を決定するのに使用される。
【００３６】
多重化した後に、サブストリームは高速フーリエ変換器（ＦＦＴ）３６により周波数ドメインに変換される。その後、ガード期間発生器３８がＦＦＴ３６の出力信号を受け取って、この出力信号中にガード期間を確立する。好ましい実施形態では、ガード期間は、情報伝送シンボルの周期的な拡張部を信号に挿入することにより確立される。
【００３７】
次に図３を参照すると、本発明の受信機１２の関連部分を見ることができる。受信信号はガード期間除去器４０に送られ、このガード期間除去器４０は、有効な信号期間中に受信されたエネルギのみを処理することにより、送信機１４によって挿入されたガード期間を除去する。信号を変換して時間ドメインに戻すために、除去器４０からの信号が逆ＦＦＴ４２に送られる。
【００３８】
図３に示されているように、逆ＦＦＴ４２は受信された複素データシンボルのサブストリーム
【数１】
2008295057.tif 000004
【００３９】
を出力する。各シンボルは各乗算器４４において各位相回転訂正ベクトルｅ-jφと結合される。φは送信機１４において挿入されたパイロット信号に基づくシンボルの推定位相回転である。
【００４０】
次に、各サブストリーム中の各複素シンボルにより表されるビットの値が、各軟判定量子化器４６により決定される。したがって、量子化器４６は複素シンボルをデコードして、それらがそれぞれ表しているデータビットに戻す。各シンボルのビット値を決定する方法は図４を参照して以下に説明する。しかしながら図３に示されているように、軟判定を促進するために、量子化器４６はパイロット信号に基づく受信シンボルの振幅の各推定値“ｐ”を受け取る。
【００４１】
量子化器４６からのデータビットのサブストリームがパラレルシリアルコンバータ４８に送られ、サブストリームが結合されて単一の一連データビットになる。その後、ビットを再順序付けして、送信機の内部インターリーバ２８によりインターリーブされる前の順序にするために、データビットシーケンスがデインターリーバ５０に送られる。次に、技術的によく知られている畳み込みコーディング方式にしたがってビットをデコードするために、デインターリーブされたビットがデコーダ５２に送られる。畳み込みデコーダ５２の１つの可能性ある実施形態はビタビデコーダであり、その設計は技術的によく知られている。デコーダ５２の出力は外部デインターリーバ５１に提供され、この外部デインターリーバ５１は畳み込みデコードされたシンボルを再順序付けする。その後再順序付けされたシンボルはリードソロモンデコーダ５３に提供され、このリードソロモンデコーダ５３は技術的によく知られているように再順序付けされたシンボルをデコードする。
【００４２】
図４は、受信された複素シンボルにより表されたビットの値を決定する際における、本発明の軟判定量子化器４６の論理を示している。図３を参照して理解できるように、各量子化器４６はマイクロプロセッサとすることができ、これにはデータ記憶装置５３が含まれ、このデータ記憶装置５３には本発明のステップを行うために量子化器４６により使用される命令が含まれていることが好ましい。したがって、量子化器４６にはプログラマブル中央処理装置（ＣＰＵ）またはプログラマブルゲートアレイチップまたは特定用途向け集積回路（ＡＳＩＣ）を含めることができることを当業者は認識するであろう。
【００４３】
図４は、記憶装置５３（図３）上のコンピュータ読取可能な論理構造において実現されるような本発明の論理のさまざまな実施形態の構造を図示している。図４が本発明にしたがって機能する論理エレメントの構造を図示していることを当業者は理解するであろう。明らかに、１つの本質的な実施形態において本発明は機械構成部品により実施され、デジタル処理装置（すなわちコンピュータまたはマイクロコントローラ）に命令して図４に示されているものに対応する一連の動作ステップを実行させる形態で論理エレメントを動作させる。
【００４４】
これらの命令は、図３に示されている記憶装置５３のようなデータ記憶媒体を含むデータ記憶装置上の論理構造／回路に存在しても、すなわち論理構造／回路により組込まれてもよい。機械構成部品は記憶装置５３において実現される論理エレメントの組み合わせとすることができ、この記憶装置５３は都合よく電子的なリードオンリーメモリ（ＲＯＭ）または電子的なランダムアクセスメモリ（ＲＡＭ）または他の適切なデータ記憶装置とすることができる。代りに、この命令は、半導体装置上の、磁気テープ上の、光ディスク上の、ＤＡＳＤアレイ上の、通常のハードディスクドライブ上の、電子的なリードオンリーメモリ上の、電子的なランダムアクセスメモリ上の、あるいは他の適切なデータ記憶装置上のコンピュータプログラムコードエレメントの形態で実現することができる。
【００４５】
ブロック５４で始まり、受信された各複素シンボルに対する位相調整された信号
【数２】
2008295057.tif 000005
【００４６】
が、先に開示されているように本発明の量子化器４６により乗算器４４から受け取られる（ｉの値はｉ番目のシンボルを表している）。その後ブロック５６において、受信された複素シンボルが持つことができる第１組の可能性ある値ｐiαが決定される。αに対する値は予め知られている。その理由はこれらのそれぞれは予め定められたデータ点配置の幾何図形的配列中の位置に対応しているからである。この第１組には２m-1個の要素ｐiαが含まれており、各要素はｋ番目のビットにおいてバイナリ“０”を持っており、ｋ＝１からｍである。言い換えると、ブロック５６では第１組の可能性ある値が各シンボルに対して決定され、第１組中の各値は予め定められたビットにおいて“０”のバイナリ値を持っている。
【００４７】
同様に、ブロック５８では、受信された複素シンボルが持つことができる第２組の可能性ある値ｐiαが決定される。この第２組には２m-1個の要素ｐiαが含まれており、各要素はｋ番目のビットにおいてバイナリ“１”を持っており、ｋ＝１からｍである。言い換えると、ブロック５８では第２組の可能性ある値が各シンボルに対して決定され、第２組中の各値は予め定められたビットにおいて“１”のバイナリ値を持っている。したがって、表中で先に示された３２値のデータ点配置では、１６個の可能性ある値がブロック５６において出力され、他の１６個の値がブロック５８において出力される。
【００４８】
次に、ブロック６０において、位相調整された信号
【数３】
2008295057.tif 000006
【００４９】
と第１組中の各予測信号ｐiαとの間の差の絶対値が決定され、最小の絶対値が第１の信号として選択される。またブロック６０では、位相調整された信号
【数４】
2008295057.tif 000007
【００５０】
と第２組中の各予測信号ｐiαとの間の差の絶対値が決定され、最小の絶対値が第２の信号として選択される。ブロック６０の出力は次のように予測することができる。
【数５】
2008295057.tif 000008
【００５１】
ここにおいて示され詳細に説明されているようなデジタル信号の送信における直交周波数分割多重通信用の特定のビットインターリーバは本発明の先に説明した目的を完全に達成することができるが、これは本発明の現在の好ましい実施形態であり、したがって本発明により広く意図されている主題を表しているものであり、本発明の範囲は当業者にとって明らかになるであろう他の実施形態を完全に含み、本発明の範囲はしたがって添付した請求の範囲以外の何ものにも制限されないことを理解すべきである。
【図面の簡単な説明】
【００５２】
【図１】図１は、本発明を具体化しているデジタル信号送信システムの概略図である。
【図２】図２は、本発明を具体化している送信機の関連部分を示している概略図である。
【図３】図３は、本発明を具体化している受信機の関連部分を示している概略図である。
【図４】図４は、受信機の軟判定論理を示しているフローチャートである。
【図１】
2008295057.tif 000009
【図２】
2008295057.tif 000010
【図３】
2008295057.tif 000011
【図４】
2008295057.tif 000012
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
各シンボルが“ｍ”個のデータビットを表す複素位相調整シンボルを含む直交周波数分割多重化（ＯＦＤＭ）信号の“ｎ”個のサブストリームを受信する受信機用の装置において、
各サブストリームに対して、前記サブストリーム中の各シンボルにより表される各ビットのバイナリ値を決定する軟判定量子化器を具備し、
前記軟判定量子化器は、
第１組中の各値が予め定められたビット中に“０”のバイナリ値を持つ、各シンボルに対する第１組の可能性ある値を決定する手段と、
前記シンボルと前記第１組の可能性ある値中の各可能性ある値との間の振幅差を各シンボルに対して決定する手段と、
最小振幅差を決定し、それを表す第１の信号を発生させる手段と、
第２組中の各値が予め定められたビット中に“１”のバイナリ値を持つ、各シンボルに対する第２組の可能性ある値を決定する手段と、
前記シンボルと前記第２組の可能性ある値中の各可能性ある値との間の振幅差を各シンボルに対して決定する手段と、
最小振幅差を決定し、それを表す第２の信号を発生させる手段とをさらに備え、
前記各シンボルに対する第１組の可能性ある値を決定する手段は、前記シンボルの第１組の推定値を決定する手段をさらに備え、
前記各シンボルに対する第２組の可能性ある値を決定する手段は、前記各シンボルに対する第２の組の推定値を決定する手段をさらに備え、
前記第１および第２の組の推定値はパイロット信号に基づいている装置。
【請求項２】
各シンボルが“ｍ”個のデータビットを表している、直交周波数分割多重（ＯＦＤＭ）信号中の複素シンボルを受信するＯＦＤＭ信号受信機用のコンピュータ論理装置において、
デジタル処理システムにより読取可能なコンピュータ論理記憶装置と、
前記論理記憶装置中に組み込まれ、各シンボルの値に関する軟判定を行う方法ステップを実行するために前記デジタル処理システムにより実行可能な命令とを具備し、
前記方法ステップは、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
最小振幅差を決定し、それを表す第１の信号を発生させることと、
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
最小振幅差を決定し、それを表す第２の信号を発生させることとを含み、
前記各シンボルに対する第１組の可能性ある値を決定することは、前記シンボルの第１組の推定値を決定することをさらに含み、
前記各シンボルに対する第２組の可能性ある値を決定することは、前記各シンボルに対する第２の組の推定値を決定することをさらに含み、
前記第１および第２の組の推定値はパイロット信号に基づいているコンピュータ論理装置。
【請求項３】
各シンボルが“ｍ”個のデータビットを表す複素位相調整シンボルを含む直交周波数分割多重化（ＯＦＤＭ）信号の“ｎ”個のサブストリームを受信する受信機に対して、前記サブストリーム中の各シンボルにより表される各ビットのバイナリ値を決定する方法において、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
最小振幅差を決定し、それを表す第１の信号を発生させることと、
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
最小振幅差を決定し、それを表す第２の信号を発生させることとを含み、
前記各シンボルに対する第１組の可能性ある値を決定することは、前記シンボルの第１組の推定値を決定することをさらに含み、
前記各シンボルに対する第２組の可能性ある値を決定することは、前記各シンボルに対する第２の組の推定値を決定することをさらに含み、
前記第１および第２の組の推定値はパイロット信号に基づいている方法。
【請求項４】
各シンボルが“ｍ”個のデータビットを表す直交周波数分割多重（ＯＦＤＭ）信号中の複素シンボルを受信するＯＦＤＭ信号受信機用のコンピュータ論理装置において、
デジタル処理システムにより読取可能なコンピュータ論理記憶装置と、
前記論理記憶装置中に組み込まれ、各シンボルの値に関する軟判定を行う方法ステップを実行するために前記デジタル処理システムにより実行可能な命令とを具備し、
前記方法ステップは、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
最小振幅差を決定し、それを表す第１の信号を発生させることと、
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
最小振幅差を決定し、それを表す第２の信号を発生させることとを含み、
前記各シンボルに対する第１組の可能性ある値を決定することは、前記シンボルの第１組の推定値を決定することをさらに含み、
前記各シンボルに対する第２組の可能性ある値を決定することは、前記各シンボルに対する第２の組の推定値を決定することをさらに含み、
前記第１および第２の組の推定値はパイロット信号に基づいているコンピュータ論理装置。
【請求項５】
各シンボルが“ｍ”個のデータビットを表す複素位相調整シンボルを含む直交周波数分割多重化（ＯＦＤＭ）信号の“ｎ”個のサブストリームを受信する受信機用の装置において、
各サブストリームに対して、前記サブストリーム中の各シンボルにより表される各ビットのバイナリ値を決定する軟判定量子化器を具備し、
前記軟判定量子化器は、
第１組中の各値が予め定められたビット中に“０”のバイナリ値を持つ、各シンボルに対する第１組の可能性ある値を決定する手段と、
前記シンボルと前記第１組の可能性ある値中の各可能性ある値との間の振幅差を各シンボルに対して決定する手段と、
最小振幅差を決定し、それを表す第１の信号を発生させる手段とをさらに備える装置。
【請求項６】
前記軟判定量子化器は、
第２組中の各値が予め定められたビット中に“１”のバイナリ値を持つ、各シンボルに対する第２組の可能性ある値を決定する手段と、
前記シンボルと前記第２組の可能性ある値中の各可能性ある値との間の振幅差を各シンボルに対して決定する手段と、
最小振幅差を決定し、それを表す第２の信号を発生させる手段とをさらに備える請求項５記載の装置。
【請求項７】
前記軟判定量子化器が、前記第１の信号が前記第２の信号よりも大きい時にはバイナリ“１”を返し、そうでなければバイナリ“０”を返す手段をさらに備える請求項６記載の装置。
【請求項８】
前記軟判定量子化器が、前記第１の信号と前記第２の信号との間の差の振幅に比例する信頼値を返す手段をさらに備える請求項７記載の装置。
【請求項９】
受信機と組み合わせ、前記受信機は前記ＯＦＤＭ信号を前記軟判定量子化器に入力する前に前記ＯＦＤＭ信号中のガード期間を除去するガード期間除去器をさらに具備する請求項７記載の装置。
【請求項１０】
前記各シンボルに対する第１組の可能性ある値を決定する手段は、前記シンボルの第１組の推定値を決定する手段をさらに備え、
前記各シンボルに対する第２組の可能性ある値を決定する手段は、前記各シンボルに対する第２組の推定値を決定する手段をさらに備える請求項６記載の装置。
【請求項１１】
前記第１および第２の組の推定値は各シンボルの振幅に基づいている請求項１０記載の装置。
【請求項１２】
各シンボルが“ｍ”個のデータビットを表している、直交周波数分割多重（ＯＦＤＭ）信号中の複素シンボルを受信するＯＦＤＭ信号受信機用のコンピュータ論理装置において、
デジタル処理システムにより読取可能なコンピュータ論理記憶装置と、
前記論理記憶装置中に組み込まれ、各シンボルの値に関する軟判定を行う方法ステップを実行するために前記デジタル処理システムにより実行可能な命令とを具備し、
前記方法ステップは、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
最小振幅差を決定し、それを表す第１の信号を発生させることとを含むコンピュータ論理装置。
【請求項１３】
前記命令により実行される方法ステップは、
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
最小振幅差を決定し、それを表す第２の信号を発生させることとをさらに含む請求項１２記載の装置。
【請求項１４】
前記命令により実行される方法ステップは、前記第１の信号が前記第２の信号よりも大きい時にはバイナリ“１”を返し、そうでなければバイナリ“０”を返すことをさらに含む請求項１３記載の装置。
【請求項１５】
前記命令により実行される方法ステップは、前記第１の信号と前記第２の信号との間の差の振幅に比例する信頼値を返すことをさらに含む請求項１４記載の装置。
【請求項１６】
受信機と組み合わせたものであって、前記受信機は、前記軟判定を行うために前記ＯＦＤＭ信号を入力する前に前記ＯＦＤＭ信号中のガード期間を除去するガード期間除去器をさらに具備する請求項１４記載の装置。
【請求項１７】
前記各シンボルに対する第１組の可能性ある値を決定することは、前記シンボルの第１組の推定値を決定することをさらに含み、
前記各シンボルに対する第２組の可能性ある値を決定することは、前記各シンボルに対する第２組の推定値を決定することをさらに含む請求項１３記載の装置。
【請求項１８】
前記第１および第２の組の推定値は、各シンボルの振幅に基づいている請求項１７記載の装置。
【請求項１９】
各シンボルが“ｍ”個のデータビットを表す複素位相調整シンボルを含む直交周波数分割多重化（ＯＦＤＭ）信号の“ｎ”個のサブストリームを受信する受信機に対して、前記サブストリーム中の各シンボルにより表される各ビットのバイナリ値を決定する方法において、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
最小振幅差を決定し、それを表す第１の信号を発生させることとを含む方法。
【請求項２０】
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
最小振幅差を決定し、それを表す第２の信号を発生させることとをさらに含む請求項１９記載の方法。
【請求項２１】
前記第１の信号が前記第２の信号よりも大きい時にはバイナリ“１”を返し、そうでなければバイナリ“０”を返すことをさらに含む請求項２０記載の方法。
【請求項２２】
前記第１の信号と前記第２の信号との間の差の振幅に比例する信頼値を返すことをさらに含む請求項２１記載の方法。
【請求項２３】
前記各シンボルに対する第１組の可能性ある値を決定することは、前記シンボルの第１組の推定値を決定することをさらに含み、
前記各シンボルに対する第２組の可能性ある値を決定することは、前記各シンボルに対する第２組の推定値を決定することをさらに含む請求項２０記載の方法。
【請求項２４】
前記第１および第２の組の推定値は、各シンボルの振幅に基づいている請求項２３記載の方法。
【請求項２５】
前記第１および第２の組の推定値は、パイロット信号に基づいている請求項２３記載の方法。
【請求項２６】
各シンボルが“ｍ”個のデータビットを表す複素位相調整シンボルを含む直交周波数分割多重化（ＯＦＤＭ）信号の“ｎ”個のサブストリームを受信する装置において、
それぞれが対応するサブストリーム中の各シンボルの値を決定するように構成されている、“ｎ”個のサブストリームに対応する複数の軟判定量子化器と、
前記複数の軟判定量子化器からの前記データビットを結合するパラレルシリアルコンバータと、
前記データビットがインターリーブされる前の順序に前記結合データビットを再順序付けするデインターリーバと、
前記データビットをデコードするデコーダとを具備する装置。
【請求項２７】
前記各軟判定量子化器は、
第１組中の各値が予め定められたビット中に“０”のバイナリ値を持つ、各シンボルに対する第１組の可能性ある値を決定する手段と、
前記シンボルと前記第１組の可能性ある値中の各可能性ある値との間の振幅差を各シンボルに対して決定する手段と、
前記シンボルと前記第１組の可能性ある値との間の最小振幅差を決定し、それを表す第１の信号を発生させる手段と、
第２組中の各値が予め定められたビット中に“１”のバイナリ値を持つ、各シンボルに対する第２組の可能性ある値を決定する手段と、
前記シンボルと前記第２組の可能性ある値中の各可能性ある値との間の振幅差を各シンボルに対して決定する手段と、
前記シンボルと前記第２組の可能性ある値との間の最小振幅差を決定し、それを表す第２の信号を発生させる手段とを備える請求項２６記載の装置。
【請求項２８】
前記各軟判定量子化器は、前記第１の信号が前記第２の信号よりも大きい時にはバイナリ“１”を返し、そうでなければバイナリ“０”を返す手段をさらに備える請求項２７記載の装置。
【請求項２９】
前記ＯＦＤＭ信号を前記軟判定量子化器に入力する前に前記ＯＦＤＭ信号中のガード期間を除去するガード期間除去器をさらに具備する請求項２６記載の装置。
【請求項３０】
各シンボルが“ｍ”個のデータビットを表す複素位相調整シンボルを含む直交周波数分割多重化（ＯＦＤＭ）信号の“ｎ”個のサブストリームを受信する方法において、
“ｎ”個のサブストリームに対応する複数の軟判定量子化器を使用して対応するサブストリーム中の各シンボルの値を決定することと、
前記複数の軟判定量子化器によって発生されたデータビットを結合することと、
前記データビットがインターリーブされる前の順序に前記結合データビットを再順序付けすることと、
前記再順序付けされたデータビットをデコードすることとを含む方法。
【請求項３１】
前記各シンボルの値を決定することは、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
前記シンボルと前記第１組の可能性のある値との間の最小振幅差を決定し、それを表す第１の信号を発生させることと、
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
前記シンボルと前記第２組の可能性のある値との間の最小振幅差を決定し、それを表す第２の信号を発生させることとを含む請求項３０記載の方法。
【請求項３２】
前記各シンボルの値を決定することは、前記第１の信号が前記第２の信号よりも大きい時にはバイナリ“１”を返し、そうでなければバイナリ“０”を返すことを含む請求項３１記載の方法。
【請求項３３】
前記ＯＦＤＭ信号を前記軟判定量子化器に入力する前に前記ＯＦＤＭ信号中のガード期間を除去することをさらに含む請求項３０記載の方法。
【請求項３４】
各シンボルが“ｍ”個のデータビットを表す複素位相調整シンボルを含む直交周波数分割多重化（ＯＦＤＭ）信号の“ｎ”個のサブストリームを受信する受信機に対して、前記サブストリーム中の各シンボルにより表される各ビットのバイナリ値を決定する方法において、
第１組中の各値が予め定められたビット中に“０”のバイナリ値を持つ、各シンボルに対する第１組の可能性ある値を決定することと、
前記シンボルと前記第１組の可能性ある値中の各可能性ある値との間の振幅差を各シンボルに対して決定することと、
最小振幅差を決定し、それを表す第１の信号を発生させることと、
第２組中の各値が予め定められたビット中に“１”のバイナリ値を持つ、各シンボルに対する第２組の可能性ある値を決定することと、
前記シンボルと前記第２組の可能性ある値中の各可能性ある値との間の振幅差を各シンボルに対して決定することと、
最小振幅差を決定し、それを表す第２の信号を発生させることとを含み、
前記各シンボルに対する第１組の可能性ある値を決定することは、前記シンボルの第１組の推定値を決定することをさらに含み、
前記各シンボルに対する第２組の可能性ある値を決定することは、前記各シンボルの第２組の推定値を決定することをさらに含み、
前記第１および第２の組の推定値はパイロット信号に基づいている方法。
【請求項３５】
各シンボルが“ｍ”個のデータビットを表す各シンボルの値に関する軟判定を行う直交周波数分割多重（ＯＦＤＭ）信号中の複素シンボルを受信する際に使用される命令を記憶するコンピュータ論理記憶装置において、
第１組中の各値が予め定められたビット中に“０”のバイナリ値を持つ、各シンボルに対する第１組の可能性ある値を決定する命令と、
前記シンボルと前記第１組の可能性ある値中の各可能性ある値との間の振幅差を各シンボルに対して決定する命令と、
最小振幅差を決定し、それを表す第１の信号を発生させる命令と、
第２組中の各値が予め定められたビット中に“１”のバイナリ値を持つ、各シンボルに対する第２組の可能性ある値を決定する命令と、
前記シンボルと前記第２組の可能性ある値中の各可能性ある値との間の振幅差を各シンボルに対して決定する命令と、
最小振幅差を決定し、それを表す第２の信号を発生させる命令とを含み、
前記各シンボルに対する第１組の可能性ある値を決定する命令は、前記シンボルの第１組の推定値を決定する命令をさらに含み、
前記各シンボルに対する第２組の可能性ある値を決定する命令は、前記各シンボルに対する第２の組の推定値を決定する命令をさらに含み、
前記第１および第２の組の推定値はパイロット信号に基づいているコンピュータ論理記憶装置。
【外国語明細書】
2008295057000001.pdf